(57)【要約】【課題】吐出口部側に内容物が残っている内容消費済みチューブ金属容器であっても、簡単な処理で、有効に回収して再資源化処理を行える内容消費済みチューブ金属容器の切断金属体を提供する。【解決手段】胴部１４と肩部１６と吐出口部１８とを備えたチューブ金属容器から内容物を絞り出した後の胴部１４が略偏平状に変形した内容消費済みチューブ金属容器１２をリサイクルするために加工して得られる切断金属体であり、内容消費済みチューブ金属容器１２の胴部１４と肩部１６との接続境界線２４に沿って切断分離することにより肩部１６と吐出口部１８とを一体的に備えて形成され、熱湯ＨＷ中で所定時間熱し付着している内容物を洗浄した切断先端体１０ａを含む内容消費済みチューブ金属容器の切断金属体１０から構成される。【選択図】図１
0003175582.tif 000002
【実用新案登録請求の範囲】
【請求項１】
胴部と肩部と吐出口部とを備えたチューブ金属容器から内容物を絞り出した後の胴部が略偏平状に変形した内容消費済みチューブ金属容器をリサイクルするために加工して得られる切断金属体であり、
内容消費済みチューブ金属容器の胴部と肩部との接続境界線に沿って切断分離することにより肩部と吐出口部とを一体的に備えて形成され、熱湯中で所定時間熱し付着している内容物を洗浄した切断先端体を含むことを特徴とする内容消費済みチューブ金属容器の切断金属体。
【請求項２】
内容消費済みチューブ金属容器を切断分離して該切断先端体を形成した際に残る切断胴部体を、肩部側近傍の偏平状位置で切断分離することにより形成された肩部側の部分からなり、熱湯中で所定時間熱して付着している内容物を洗浄した第１分離胴部体と、
第１分離胴部体を形成した際の残りの部分で形成された第２分離胴部体と、を含むことを特徴とする請求項１記載の内容消費済みチューブ金属容器切断金属体。
【請求項３】
切断先端体及び第１分離胴部体を洗浄する際に、熱湯に炭酸水素ナトリウムを混合して洗浄したことを特徴とする請求項２記載の内容消費済みチューブ金属容器切断金属体。
【考案の詳細な説明】
【技術分野】
【０００１】
本考案は、内容物を消費した後のチューブ金属容器を有効にリサイクルするために加工した内容消費済みチューブ金属容器の切断金属体に関する。
【背景技術】
【０００２】
アルミニウム等の金属製のチューブ容器は、内容物を空気、水、紫外線等から保護するとともに、内容物の成分が揮発するのも防止できるうえ、一度変形させると元に戻らないことから容器内に空気が吸い込まれるのも防止でき、内容物の成分を長期間に亘って変化させにくい。したがって、長期保存性に優れていることから、例えば、パーマ液や染毛剤、軟膏等の医薬品、絵の具、接着剤や目止め剤等の工業品等に多く利用されている。一方、アルミニウム等の金属は、天然資源の消費を低減し、かつ資源の有効利用を図る観点から、廃棄されることなく再利用することが望ましく、従来、空き缶等の金属容器や、自動車、電気機器類の金属部品等の回収、リサイクルが行われている。リサイクル処理では、廃棄金属類に不純物が混ざると再資源処理された材料や製品の品質低下を招くことから、廃棄金属類から不純物を取り除く処理が必要となる。例えば、特許文献１には、廃棄された自動車等の塗装された金属部材から塗装された部分を分別してリサイクルする方法が提案されている。
【先行技術文献】
【特許文献】
【０００３】
【特許文献１】特開２００３−２０５２８３号公報
【考案の概要】
【考案が解決しようとする課題】
【０００４】
上述のように空き缶等の金属容器や廃棄自動車の金属部品等の一部の廃棄金属類の回収、リサイクルについては行政の指導やメーカー又はリサイクル業者により積極的に行われている。しかしながら、パーマ液や染毛剤又は医薬品等が入れられていたチューブ金属容器については、内容物を絞り出して使い終わった後にも吐出口側の内部に内容物が残って付着しており、そのままでは金属以外の不純物を含むことからリサイクル業者等では回収できない問題があった。したがって、従来では内容消費済みチューブ金属容器を有効にリサイクル処理するための提案がないことから、それらの使用済みチューブ金属容器は埋立て廃棄処理される場合が多く、再資源として利用されずに資源の無駄となっていた。
【０００５】
本考案は上記従来の課題に鑑みてなされたものであり、その一つの目的は、吐出口部側に内容物が残っている内容消費済みチューブ金属容器であっても、簡単に加工でき、回収してリサイクル処理を行うのに有効な内容消費済みチューブ金属容器の切断金属体を提供することにある。
【課題を解決するための手段】
【０００６】
上記課題を解決するために本考案は、胴部１４と肩部１６と吐出口部１８とを備えたチューブ金属容器（１２ｂｆ）から内容物を絞り出した後の胴部１４が略偏平状に変形した内容消費済みチューブ金属容器１２をリサイクルするために加工して得られる切断金属体であり、内容消費済みチューブ金属容器１２の胴部１４と肩部１６との接続境界線２４（Ｘ１）に沿って切断分離することにより肩部１６と吐出口部１８とを一体的に備えて形成され、熱湯ＨＷ中で所定時間熱し付着している内容物を洗浄した切断先端体１０ａを含むことを特徴とする内容消費済みチューブ金属容器の切断金属体１０から構成される。
【０００７】
また、内容消費済みチューブ金属容器１２を切断分離して該切断先端体１０ａを形成した際に残る切断胴部体１０ｄを、肩部１６側近傍の略偏平状位置で切断分離することにより形成された肩部側の部分からなり、熱湯ＨＷ中で所定時間熱して付着している内容物を洗浄した第１分離胴部体１０ｂと、第１分離胴部体１０ｂを形成した際の残りの部分で形成された第２分離胴部体１０ｃと、を含むこととしてもよい。
【０００８】
また、切断先端体１０ａ及び第１分離胴部体１０ｂを洗浄する際に、熱湯ＨＷに炭酸水素ナトリウムを混合して洗浄したこととしてもよい。
【考案の効果】
【０００９】
本考案の内容消費済みチューブ金属容器の切断金属体によれば、胴部と肩部と吐出口部とを備えたチューブ金属容器から内容物を絞り出した後の胴部が略偏平状に変形した内容消費済みチューブ金属容器をリサイクルするために加工して得られる切断金属体であり、内容消費済みチューブ金属容器の胴部と肩部との接続境界線に沿って切断分離することにより肩部と吐出口部とを一体的に備えて形成され、熱湯中で所定時間熱し付着している内容物を洗浄した切断先端体を含むことから、特殊な設備を必要とせず簡単な工程だけで、吐出口部側に残っている内容物を除去して、特に金属の量が比較的多い先端部分を有効に回収してリサイクルすることができる。その結果、廃棄金属として埋め立て廃棄することがなく、リサイクルを促進して、貴重な金属資源として再利用できる。
【００１０】
また、内容消費済みチューブ金属容器を切断分離して該切断先端体を形成した際に残る切断胴部体を、肩部側近傍の略偏平状位置で切断分離することにより形成された肩部側の部分からなり、熱湯中で所定時間熱して付着している内容物を洗浄した第１分離胴部体と、第１分離胴部体を形成した際の残りの部分で形成された第２分離胴部体と、を含むことにより、先端体部分及び胴部体部分を含む内容消費済みチューブ金属容器全体を有効に回収してリサイクルすることができ、埋立て廃棄処理させることがなく、廃棄金属のリサイクルを促進して、貴重な金属資源として再利用できる。また、肩部側の部分と偏平状部分とに分離して扱えるので、内容物が付着している部分の洗浄や、回収等を円滑に行うことができる。
【００１１】
また、切断先端体及び第１分離胴部体を洗浄する際に、熱湯に炭酸水素ナトリウムを混合して洗浄したことにより、内容物を確実に洗い落としてリサイクル処理の際の不純物の混入防止を期待できる。
【図面の簡単な説明】
【００１２】
【図１】本考案の実施形態に係る内容消費済みチューブ金属容器の切断金属体及び切断金属体を加工する際の説明図である。
【図２】内容消費済みチューブ金属容器とその切断金属体の説明図である。
【図３】内容消費済みチューブ金属容器の先端周辺の縦断面図である。
【考案を実施するための形態】
【００１３】
以下、添付図面を参照しつつ本考案の内容消費済みチューブ金属容器の切断金属体の実施の形態について説明する。本考案の内容消費済みチューブ金属容器の切断金属体は、例えば、理容・美容用品、医薬品、工業用品、日用品等で利用されるチューブ金属容器を使用した後の内容消費済みチューブ金属容器を有効に回収、リサイクルできるように加工、処理したリサイクル用金属体である。図１ないし図３は、本考案の内容消費済みチューブ金属容器の切断金属体の一実施形態を示している。図１、図２に示すように、本実施形態において、内容消費済みチューブ金属容器の切断金属体（以下、単に「切断金属体」ともいう）は、例えば、内容消費済みチューブ金属容器を所定位置（Ｘ１、Ｘ２）で切断分離する工程やその他所定の固定を含む加工処理によって得られるものであり、切断先端体１０ａと、切断胴部体（第１、第２分離胴部体１０ｂ、１０ｃ）と、を含む。
【００１４】
本実施形態では、内容消費済みチューブ金属容器１２は、図１、図２、図３に示すように、例えば、アルミニウム等の金属で一体的に形成され、薄肉のシートで形成された筒袋状の胴部１４と、胴部１４の一端側から先細りテーパ状に接続して形成された肩部１６と、肩部１６に連設されて内容物を吐出する開口が設けられた吐出口部１８と、を備えたチューブ金属容器（１２ｂｆ）から内容物を絞り出した後の使用済みの金属製チューブ状容器である。すなわち、内容消費済みチューブ金属容器１２では、例えば、チューブ金属容器１２ｂｆの筒袋状の胴部１４を人手又はチューブ絞り器等の道具によって閉鎖された尻部２０側から偏平状に押し潰すことによって内容物が絞り出されている。よって胴部１４は、対向する内壁どうしを密着させるように大部分が偏平状に変形されているとともに、金属素材の性質により形状復元することなくその偏平状態で保持されて構成されている。また、胴部１４の肩部１６に連設する接続部分側は、肩部１６内壁側に向けて押圧されており、偏平状部分２２から肩部１６の内壁形状に対応して立ち上がり状に変形している。したがって、内容消費済みチューブ金属容器１２の胴部１４は、全体的に偏平な偏平状部分２２と該偏平状部分と肩部とを接続する肩部側変形部分２４と含む。なお、胴部１４の形態は、例えば、チューブ絞り器の態様により偏平形状が異なっていてもよく、平板状のものや、小さな凹凸を交互に繰り返す波板状のもの等、その他任意の偏平形状となっていてもよい。肩部１６は、例えば、外形輪郭形状が円錐台形状に形成されており、接続境界線２６で胴部１４と連続して接続されている。肩部１６は、薄肉厚で変形しやすい胴部１４と比較して厚肉厚で、ある程度硬く変形しにくく形成されている。吐出口部１８は、肩部１６の略中央から突設し、かつその外周にキャップを取り付けるためのオネジ部が形成されており、ある程度肉厚で肩部１６よりもさらに硬くて変形しにくく形成されている。図３に示すように、内容消費済みチューブ金属容器１２では、胴部１４と肩部１６との接続部分周辺の内部及び吐出口部１８の内部に内容物ＨＳが残っている。
【００１５】
図１、図２、図３に示すように、切断先端体１０ａは、内容消費済みチューブ金属容器１２の胴部１４と肩部１６との接続境界線２６に沿って切断分離することにより形成された先端側部分からなる。すなわち、内容消費済みチューブ金属容器１２を、第１の切断位置Ｘ１となる胴部１４と肩部１６との接続境界線２６に沿って切断分離することによって形成された２つの部位のうち、胴部１４を含まず、肩部１６と吐出口部１８を含む側の切断部分からなる。よって、切断先端体１０ａは、肩部１６と吐出口部１８とを一体的に備えて形成され、切断直後では内部に内容物が付着されている。なお、内容消費済みチューブ金属容器１２を第１の切断位置Ｘ１（胴部１４と肩部１６との接続境界線２６）で切断分離することにより、切断先端体１０ａと、偏平状部分２２と肩部側変形部分２４を含む切断胴部体１０ｂと、が同時に形成される。内容消費済みチューブ金属容器１２を切断分離する際には、例えば、薄肉厚のアルミニウム等を切断できる金属切断用の鋏やカッター等の切断具ＳＣが用いられ、略円形状又は楕円形状の接続境界線２４に沿って、切断具ＳＣ又はチューブ金属容器を回転させながら切断する。この切断操作は、例えば、老若男女や比較的軽度の障害者等、誰でも比較的簡単に行うことができ、簡単に切断金属体を形成できる。また、本実施形態では、比較的切断しやすい薄肉厚の胴部１４と比較的硬い肩部１６との接続境界線２６に沿って切断するので、スムーズに切断できる。切断先端体１０ａは、その内部に内容物が残っているので、後述のように熱湯中で所定時間熱し付着している内容物を洗浄されて、最終的に不純物が分離され金属リサイクル可能な切断金属体が得られる。切断先端体１０ａは、上述のように胴部１４と肩部１６との接続境界線で切断されていることにより、切断先端体の内部が開放されて構成されているので、洗浄を容易にかつ確実に行える。
【００１６】
さらに、内容消費済みチューブ金属容器１２を接続境界線２６で切断分離した際に同時に形成された切断胴部体（すなわち切断先端体１０ａを形成した際に残った部分の切断胴部体）１０ｄを、肩部１４との接続境界線近傍の偏平状位置２８で切断分離することにより、第１分離胴部体１０ｂと第２分離胴部体１０ｃが形成される。すなわち、内容消費済みチューブ金属容器１２を、第１の切断位置Ｘ１と第２切断位置Ｘ２の２箇所で切断して、複数の切断金属体が形成される。切断胴部体１０ｄの切断分離作業は、例えば、上述同様な金属切断用の鋏やカッター等の切断具ＳＣが用いられる。切断胴部体１０ｄにおいて第２の接続位置Ｘ２となる肩部１４との接続境界線２６近傍の偏平状位置２８は、例えば、第１の接続位置Ｘ１で切断した際の切断端となっている肩部との接続境界線２６位置から尻部１８側に１０ｍｍ〜２０ｍｍ程度離隔した偏平状部分位置に設定されており、略直線状に切断される。なお、第２の切断位置Ｘ２は、第１の切断位置Ｘ１での切断端となっている肩部１６との接続境界線２６近傍であれば偏平状部分２２の任意の位置を切断してもよい。
【００１７】
第１分離胴部体１０ｂは、切断胴部体１０ｄを第２の切断位置Ｘ２となる肩部１６側近傍の偏平状位置２８で切断分離した際に形成される２つの部分のうち、肩部側の部分、すなわち肩部との接続境界線２６で切断された切断端を含む部分からなる。第１分離胴部体１０ｂでは、肩部側変形部分２４の内部部分には内容物が残って付着しているので、後述のように熱湯中で所定時間熱して付着している内容物を洗浄されて、最終的に不純物が分離され金属リサイクル可能な切断金属体が得られる。
【００１８】
一方、第２分離胴部体１０ｃは、第１分離胴部体１０ｂを形成した際の残りの部分であり、全体的に偏平な板状部分で形成される。第２分離胴部体１０ｃは、例えば、チューブ絞り器等で内容物を絞り出した際に内壁が密着しており、内容物が全く又は殆ど残っていないので、洗浄されずに切断金属体を構成し、回収されて金属リサイクル処理され得る。すなわち、切断胴部体１０ｄをリサイクル可能とするために、洗浄を必要とするような肩部側近傍部分と、洗浄を不要として回収する偏平状部分と、を切断することにより扱いやすくなり、後工程の洗浄作業や回収等を手軽にスムーズに行うことができる。なお、第２分離胴部体１０ｃについても、回収前に必要に応じて切り開いて洗浄してもよい。また、切断胴部体１０ｄを２つに分離せずに、洗浄してリサイクル処理することとしてもよい。
【００１９】
図１に示すように、切断先端体１０ａ及び第１分離胴部体１０ｂに付着している内容物を洗い落とす際には、例えば、鍋等の耐熱性の容器ＰＴに水を入れて加熱して湯を沸かし、その沸いた熱湯ＨＷ中に切断先端体１０ａ、第１分離胴部体１０ｂを入れて、数分間程度所定時間煮沸処理する。これにより、切断先端体１０ａの内部に付着している内容物は湯に溶けて落ちる。この洗浄する工程では、加熱温度すなわち湯の温度は、内容物が溶け出しやすい温度であるとよく、例えば、本実施形態では４０℃から１００℃に設定される。なお、加熱温度は、内容物の種類に応じて任意に設定してもよい。なお、切断先端体１０ａと第１分離胴部体１０ｂとの洗浄は、例えば同じ容器ＰＴで同時に洗浄を行ってもよいし、別々に洗浄を行なっても良い。
【００２０】
本実施形態では、切断先端体１０ａと第１分離胴部体１０ｂを洗浄する際では、熱湯ＨＷ中に炭酸水素ナトリウム（重曹）が混合されて、処理される。これにより、煮沸処理中に湯中には大量の泡が発生し、高い洗浄効果を期待して、リサイクルに良好な切断金属体を得ることができる。炭酸水素ナトリウムを溶かしていることで、切断先端体１０ａや第１分離胴部体１０ｂの内部に残っている内容物を洗浄する。なお、発泡により洗浄力を増すために、例えば、湯中に泡を発生させる発泡剤を投入したり、エアレーション手段や振動等により機械的に湯中に発泡させて洗浄することとしてもよい。また、炭酸水素ナトリウムに限らず、内容物のｐＨに応じてその他のアルカリ成分のものを添加したり、酸性のものを利用して洗浄することとしてもよい。また、切断先端体１０ａや第１分離胴部体１０ｂを熱湯で洗浄した後に内容物が付着して残っている場合には、ブラシを使って、内容物を洗い落とすこととしてもよい。この場合にも、切断先端体１０ａや第１分離胴部体１０ｂは、肩部との接続境界線を切断して開放されているので、洗浄をスムーズに行うことができる。
【００２１】
本実施形態では、内容消費済みチューブ金属容器１２から切断金属体を形成する際には、まず、内容消費済みチューブ金属容器１２の胴部と肩部との接続境界線２６で切断分離する。その後、切断胴部体１０ｄを、肩部との接続境界線近傍の偏平状部分で切断する。これらの２つの切断操作で形成された、吐出口部１８と肩部１６と備えた切断先端体１０ａと、第１分離胴部体１０ｂと、を湯中に投入して所定時間加熱し内容物を洗浄することにより、内容物が付着していない切断先端体１０ａと、第１分離胴部体１０ｂと、第２分離胴部体１０ｃと、を含む切断金属体が得られる。このように内容消費済みチューブ金属容器１２から本実施形態のような切断金属体を構成することにより、金属リサイクル処理可能な形態でチューブ金属容器を回収して、有効にリサイクル処理することができる。すなわち、内容消費済みチューブ金属容器全体を埋め立て処理等で廃棄することなく、業者等で有効に回収して再資源化処理を行うことができる。なお、切断金属体１０ａ、１０ｂ、１０ｃの形成は、例えば、リサイクル業者が内容消費済みチューブ金属容器を回収する前の回収前処理として形成しても良いし、リサイクル業者が内容消費済みチューブ金属容器を回収しリサイクル処理を行う前に該業者自身が加工処理を行って形成することとしてもよい。
【００２２】
以上説明した本考案の内容消費済みチューブ金属容器の切断金属体は、上記した実施形態のみの構成に限定されるものではなく、実用新案登録請求の範囲に記載した本考案の本質を逸脱しない範囲において、任意の改変を行ってもよい。
【産業上の利用可能性】
【００２３】
本考案の内容消費済みチューブ金属容器の切断金属体は、例えば、パーマ液、ヘアーダイ、ヘアーカラー等の染毛剤、練り歯磨き、薬用軟膏剤、接着剤、塗料等、その他、医薬品、工業用品、化粧品、日用品、食品等の内容物を入れたチューブ金属容器を使用した後の廃棄金属容器をリサイクルするために有効に適用できる。
【符号の説明】
【００２４】
１０    切断金属体
１０ａ    切断先端体
１０ｂ    第１分離胴部体
１０ｃ    第２分離胴部体
１０ｄ    切断胴部体
１２    内容消費済みチューブ金属容器
１４    胴部
１６    肩部
１８    吐出口部
２６    胴部と肩部との接続境界線
２８    肩部との接続境界線近傍の偏平状位置
【図１】
0003175582.tif 000003
【図２】
0003175582.tif 000004
【図３】
0003175582.tif 000005